(57)【要約】【課題】インターネットによるキャンペーン応募の手続きを、キャンペーンの利用者及び提供者の双方にとって、より負担が少ないものにすること。【解決手段】インターネットを介して端末からキャンペーン応募を受け付けるシステムであって、  ＩＤを複数生成する手段と、  ＩＤごとに、受付窓口を設ける手段と、  個々の商品に、受付窓口を識別する情報を購買証明情報として添付する手段と、  端末に入力された購買証明情報で識別される受付窓口にて、キャンペーン応募を受け付ける手段とを備えることを特徴とするクローズドキャンペーンシステム。【選択図】なし【特許請求の範囲】
【請求項１】
インターネットを介して端末からキャンペーン応募を受け付けるシステムであって、
ＩＤを複数生成する手段と、
ＩＤごとに、受付窓口を設ける手段と、
個々の商品に、受付窓口を識別する情報を購買証明情報として添付する手段と、
端末に入力された購買証明情報で識別される受付窓口にて、キャンペーン応募を受け付ける手段とを備えることを特徴とするクローズドキャンペーンシステム。
【請求項２】
受付窓口を識別する情報が、ＵＲＬであることを特徴とする請求項１に記載のクローズドキャンペーンシステム。
【請求項３】
受付窓口を識別する情報が、メールアドレスであることを特徴とする請求項１に記載のクローズドキャンペーンシステム。
【請求項４】
インターネットを介して端末からキャンペーン応募を受け付けるシステムが実行する方法であって、
ＩＤを複数生成する工程と、
ＩＤごとに、受付窓口を設ける工程と、
個々の商品に、受付窓口を識別する情報を購買証明情報として添付する工程と、
端末に入力された購買証明情報で識別される受付窓口にて、キャンペーン応募を受け付ける工程とを含むことを特徴とするクローズドキャンペーン方法。
【請求項５】
受付窓口を識別する情報が、ＵＲＬであることを特徴とする請求項４に記載のクローズドキャンペーン方法。
【請求項６】
受付窓口を識別する情報が、メールアドレスであることを特徴とする請求項４に記載のクローズドキャンペーン方法。
【発明の詳細な説明】
【技術分野】
【０００１】
本発明は、クローズドキャンペーンを行う技術に関する。
【背景技術】
【０００２】
一般に、クローズドキャンペーンは、商品を購入すると、プレミアム（景品）が貰えたり、或はプレミアムの応募が可能になったりするキャンペーンのことである。以後、クローズドキャンペーンの内、商品を購入するとプレミアムの応募が可能となるものを、キャンペーンと略称する。また、クローズドキャンペーンでのプレミアムの応募を、キャンペーン応募とも云う。また、キャンペーンの提供者を、提供者と略称し、キャンペーンの利用者を、利用者と略称する。
【０００３】
従来、インターネットによるキャンペーン応募は、一つのキャンペーンごとに、一つの受付窓口を用意して、この受付窓口で応募を受け、この窓口内で購買証明情報を入力して貰うことにより、その応募の正当性を確認することで成り立っている。ここで、購買証明情報は、商品の購入を証明する情報であって、商品に添付されるものである。
【０００４】
従来のインターネットによるキャンペーン応募は、例えば、キャンペーンの提供者が、図１に示すクローズドキャンペーンシステムを設置することで実現される。
【０００５】
図１に示すクローズドキャンペーンシステムは、ＩＤ発行システムと、Ｗｅｂシステムと、添付装置と、ＤＢシステムとを備える。Ｗｅｂシステムは、インターネットに接続される。
【０００６】
ＩＤ発行システムは、非重複かつランダムな文字列をＩＤとして複数生成するコンピュータシステムである。
【０００７】
Ｗｅｂシステムには、キャンペーン応募の受付窓口が設けられる。受付窓口は、ＵＲＬで識別され、このＵＲＬを応募先ＵＲＬと呼ぶ。インターネットに接続されている端末から、応募先ＵＲＬで識別される受付窓口にアクセスできる。ここで、端末は、携帯電話機などの携帯端末、或は、パソコンなどのコンピュータである。
【０００８】
添付装置は、少なくとも、ＩＤを、購買証明情報として、商品に添付する装置である。また添付装置は、応募先ＵＲＬも、商品に添付しても良い。
【０００９】
購買証明情報として、商品に添付されるＩＤを、購買証明ＩＤとも呼ぶ。
【００１０】
図２に、商品に添付されたＩＤと応募先ＵＲＬの例を示す。添付は、商品のパーケージに、ＩＤと応募先ＵＲＬを、直接印刷することで行われても良いし、又は、紙片に印刷してから商品のパッケージに貼り付けたり或は入れたりすることで行われても良い。
【００１１】
ＤＢシステムは、ＩＤ発行システムで生成されたＩＤ、キャンペーン応募をした利用者の個人情報などの情報を保管するコンピュータシステムである。
【００１２】
インターネットによるキャンペーン応募に係わる手続きの従来例を、図３のフローチャートに従って、以下に説明する。
ＳＴＥＰ１；
提供者は、ＩＤ発行システムで、非重複かつランダムな文字列をＩＤとして生成して、
ＤＢシステムに保管する。
ＳＴＥＰ２；
提供者は、Ｗｅｂシステムに、受付窓口を一つ設ける。
ＳＴＥＰ３；
提供者は、応募先ＵＲＬを公表し、添付装置で、ＩＤを、購買証明情報として、商品に添付する。この際、提供者は、応募先ＵＲＬの公表の一環として、添付装置で、この応募先ＵＲＬを商品に添付しても良い。
ＳＴＥＰ４；
利用者は、商品を購入して、購買証明情報として、ＩＤを取得する。
ＳＴＥＰ５；
利用者は、端末にて、応募先ＵＲＬで識別される受付窓口へアクセスする。
【００１３】
図４に、端末にてＵＲＬを入力する画面の例を示す。この画面では、応募先ＵＲＬを入力して、接続ボタンを押すと、この応募先ＵＲＬで識別される受付窓口にアクセスする。ＳＴＥＰ６；
利用者は、端末にて、ＩＤと、個人情報とを入力し、受付窓口に送信する。
【００１４】
図５に、端末にてＩＤと個人情報とを入力する画面の例を示す。この画面では、ＩＤと個人情報とを入力して、送信ボタンを押すと、入力したＩＤと個人情報とが受付窓口に送信される。
ＳＴＥＰ７；
Ｗｅｂシステムは、端末から送信されたＩＤが、ＤＢシステムに保管されているか否かを確認する。
【００１５】
保管されていない場合、ＩＤが不当であると判断して、利用者にＩＤの再入力を促し、ＳＴＥＰ６に戻る。
【００１６】
保管されている場合、ＩＤが正当であると判断して、ＳＴＥＰ８に進む。
ＳＴＥＰ８；
Ｗｅｂシステムは、受付窓口で、応募を受け付ける（ＩＤと個人情報のＤＢシステムへの登録）。
【００１７】
Ｗｅｂシステムは、ＳＴＥＰ７でＩＤの正当性が確認できると、端末にて利用者に、ＳＴＥＰ６で入力して送信したＩＤと個人情報を確認させ、この確認の後に応募を受け付けても良い。
【００１８】
図６に、ＳＴＥＰ６で入力して送信したＩＤと個人情報を確認させる画面の例を示す。この画面には、図５の画面に入力されたＩＤと個人情報が表示されており、送信ボタンを押すと、これら情報を確認したことが受付窓口に通知される。
【００１９】
インターネットによるキャンペーン応募に係わる手続きの上述の従来例から分かるように、利用者は受付窓口へアクセスするための情報（上記では、応募先ＵＲＬ）を入力して、さらに購買証明情報としてＩＤを入力する必要があり、２段階の手続きが必要となる。また、受付窓口にアクセスできたとしても、ＩＤの入力を間違えれば当然無効とするために、提供者は、ＩＤの正当性を確認する必要があるなど、利用者、提供者ともに手続きが増え手間がかかる。
【００２０】
インターネットによるキャンペーン応募に係わる従来の手続きの問題点を整理すると、次の通りである。
【００２１】
第１に、利用者にとっては、「受付窓口への手続き」と「購買を証明する手続き」の２段階の手続きが必要で手間がかかる。
【００２２】
第２に、提供者にとっては、購買を証明する手続きで、購買を証明する情報（上記ではＩＤ）の正当性を確認する必要がある。
【発明の開示】
【発明が解決しようとする課題】
【００２３】
本発明は斯かる背景技術に鑑みてなされたもので、インターネットによるキャンペーン応募の手続きを、キャンペーンの利用者及び提供者の双方にとって、より負担が少ないものにすることを課題とする。
【課題を解決するための手段】
【００２４】
本発明において上記の課題を達成するために、まず請求項１の発明では、インターネットを介して端末からキャンペーン応募を受け付けるシステムであって、
ＩＤを複数生成する手段と、
ＩＤごとに、受付窓口を設ける手段と、
個々の商品に、受付窓口を識別する情報を購買証明情報として添付する手段と、
端末に入力された購買証明情報で識別される受付窓口にて、キャンペーン応募を受け付ける手段とを備えることを特徴とするクローズドキャンペーンシステムとしたものである。
【００２５】
また請求項２の発明では、受付窓口を識別する情報が、ＵＲＬであることを特徴とする請求項１に記載のクローズドキャンペーンシステムとしたものである。
【００２６】
また請求項３の発明では、受付窓口を識別する情報が、メールアドレスであることを特徴とする請求項１に記載のクローズドキャンペーンシステムとしたものである。
【００２７】
また請求項４の発明では、インターネットを介して端末からキャンペーン応募を受け付けるシステムが実行する方法であって、
ＩＤを複数生成する工程と、
ＩＤごとに、受付窓口を設ける工程と、
個々の商品に、受付窓口を識別する情報を購買証明情報として添付する工程と、
端末に入力された購買証明情報で識別される受付窓口にて、キャンペーン応募を受け付ける工程とを含むことを特徴とするクローズドキャンペーン方法としたものである。
【００２８】
また請求項５の発明では、受付窓口を識別する情報が、ＵＲＬであることを特徴とする請求項４に記載のクローズドキャンペーン方法としたものである。
【００２９】
また請求項６の発明では、受付窓口を識別する情報が、メールアドレスであることを特徴とする請求項４に記載のクローズドキャンペーン方法としたものである。
【発明の効果】
【００３０】
請求項１、２、４及び５の発明は、受付窓口を識別する情報と、購買証明情報とが同一のものとなるので、利用者は、キャンペーン応募を行うために、受付窓口を識別する情報と、購買証明情報とを別々に入力する必要がなくなり、キャンペーン応募の手続きが簡素なものとなるという効果がある。
【００３１】
また請求項１、２、４及び５の発明は、受付窓口へキャンペーン応募したということが、必然的に、この利用者が、商品を購入して、この商品に添付されている購買証明情報を
取得したことを意味するので、提供者は、別個に、購買証明情報の正当性を確認する必要が無くなるという効果がある。
【００３２】
また請求項３及び６の発明では、対話処理が不向きな電子メールでも、キャンペーン応募が簡単に行え、しかも、キャンペーン応募者のメールアドレスが必然的に取得できるという効果がある。
【００３３】
以上、本発明には、インターネットによるキャンペーン応募の手続きを、キャンペーンの利用者及び提供者の双方にとって、より負担が少ないものにできるという効果がある。
【発明を実施するための最良の形態】
【００３４】
本発明の最良の一実施形態を説明する。
【００３５】
本実施形態は、インターネットを介して端末からキャンペーン応募を受け付けるシステムであって、
ＩＤを複数生成する手段と、
ＩＤごとに、受付窓口を設ける手段と、
個々の商品に、受付窓口を識別する情報を購買証明情報として添付する手段と、
端末に入力された購買証明情報で識別される受付窓口にて、キャンペーン応募を受け付ける手段とを備えることを特徴とするクローズドキャンペーンシステムである。
【００３６】
本実施形態では、受付窓口を識別する情報と、購買証明情報とが同一のものとなるので、利用者は、キャンペーン応募を行うために、受付窓口を識別する情報と、購買証明情報とを別々に入力する必要がなくなり、キャンペーン応募の手続きが簡素なものとなるという効果がある。
【００３７】
また、受付窓口へキャンペーン応募したということが、必然的に、この利用者が、商品を購入して、この商品に添付されている購買証明情報を取得したことを意味するので、提供者は、別個に、購買証明情報の正当性を確認する必要が無くなるという効果がある。
【００３８】
以後、本発明の２つの実施例を順に説明することで、本発明の一実施形態を説明する。
【実施例１】
【００３９】
実施例１のクローズドキャンペーンシステムは、図１に示すように、ＩＤ発行システムと、Ｗｅｂシステムと、添付装置と、ＤＢシステムとを備える。Ｗｅｂシステムは、インターネットに接続される。
【００４０】
ＩＤ発行システムは、非重複かつランダムな文字列をＩＤとして複数生成するコンピュータシステムである。
【００４１】
Ｗｅｂシステムは、ＩＤごとに、キャンペーン応募の受付窓口を設けるコンピュータシステムである。各々の受付窓口は、各々のＵＲＬで識別され、これらＵＲＬを応募先ＵＲＬと呼ぶ。Ｗｅｂシステムは、各受付窓口を設けるに際して、各応募先ＵＲＬに、所定の規則に従って、各応募先ＵＲＬに対応するＩＤを含める。例えば、各ＩＤに対応する応募先ＵＲＬを、ＩＤ．ｄｏｍａｉｎとする。インターネットに接続されている端末から、応募先ＵＲＬで識別される受付窓口にアクセスできる。ここで、端末は、携帯電話機などの携帯端末、或は、パソコンなどのコンピュータである。
【００４２】
添付装置は、応募先ＵＲＬを、購買証明情報として、各々の商品に、各々の商品ごとに異なるものを一つ添付する装置である。
【００４３】
図７に、購買証明情報として商品に添付された応募先ＵＲＬの例を示す。図７の応募先ＵＲＬでは、ＩＤ発行システムが生成したＩＤは、ＡＢＣ１２３である。添付は、商品のパーケージに、応募先ＵＲＬを、直接印刷することで行われても良いし、又は、紙片に印刷してから商品のパッケージに貼り付けたり或は入れたりすることで行われても良い。
【００４４】
ＤＢシステムは、ＩＤ発行システムで生成されたＩＤ、キャンペーン応募をした利用者の個人情報などの情報を保管するコンピュータシステムである。
【００４５】
実施例１において、インターネットによるキャンペーン応募に係わる手続きの例を、図８のフローチャートに従って、以下に説明する。
ＳＴＥＰ１；
ＩＤ発行システムは、非重複かつランダムな文字列をＩＤとして複数生成する。
ＳＴＥＰ２；
Ｗｅｂシステムは、ＩＤごとに、キャンペーン応募の受付窓口を設ける。この際、Ｗｅｂシステムは、受付窓口を識別する応募先ＵＲＬに、この受付窓口に対応するＩＤを所定の規則で含ませる。
ＳＴＥＰ３；
添付装置は、応募先ＵＲＬを、購買証明情報として、各々の商品に、各々の商品ごとに異なるものを一つ添付する。
ＳＴＥＰ４；
利用者は、商品を購入して、商品に添付されている応募ＵＲＬを取得する。
ＳＴＥＰ５；
利用者は、端末にて、応募先ＵＲＬで識別される受付窓口にアクセスする。
【００４６】
図９に、端末にて応募先ＵＲＬを入力する画面の例を示す。この画面では、宛先に応募先ＵＲＬを入力して、接続ボタンを押すと、この応募先ＵＲＬで識別される受付窓口にアクセスする。
ＳＴＥＰ６；
利用者は、端末にて、個人情報を入力して、受付窓口に送信する。
【００４７】
図１０に、端末にて個人情報とを入力する画面の例を示す。この画面では、個人情報とを入力して、送信ボタンを押すと、入力した個人情報が受付窓口に送信される。
ＳＴＥＰ７；
Ｗｅｂシステムは、受付窓口で、応募を受け付ける（ＩＤと個人情報とのＤＢシステムへの登録）。
【００４８】
Ｗｅｂシステムは、端末にて利用者に、ＳＴＥＰ６で入力して送信した個人情報を確認させ、この確認の後に応募を受け付けても良い。
【００４９】
図１１に、ＳＴＥＰ６で入力して送信した個人情報を確認させる画面の例を示す。この画面には、図１０の画面に入力された個人情報が表示されており、送信ボタンを押すと、これら情報を確認したことが受付窓口に通知される。
【００５０】
実施例１では、利用者が、端末から応募先ＵＲＬで識別される受付窓口にアクセスしたことが、必然的に、利用者にとっては、購買証明情報を端末にて入力して受付窓口に送信したことを意味し、他方、提供者にとっては、この購買証明情報の正当性を確認したことを意味する。
【実施例２】
【００５１】
実施例２のクローズドキャンペーンシステムは、図１２に示すように、ＩＤ発行システムと、メールシステムと、添付装置と、ＤＢシステムとを備える。メールシステムは、インターネットに接続される。
【００５２】
ＩＤ発行システムは、非重複かつランダムな文字列をＩＤとして複数生成するコンピュータシステムである。
【００５３】
メールシステムは、ＩＤごとに、キャンペーン応募の受付窓口を設けるコンピュータシステムである。各々の受付窓口は、各々のメールアドレスで識別され、これらメールアドレスを応募先メールアドレスと呼ぶ。メールシステムは、各受付窓口を設けるに際して、各応募先メールアドレスに、所定の規則に従って、各応募先メールアドレスに対応するＩＤを含める。例えば、各ＩＤに対応する応募先メールアドレスを、ＩＤをアカウント名とするメールアドレス（ＩＤ＠ｄｏｍａｉｎ）にする。インターネットに接続されている端末から、応募先メールアドレスで識別される受付窓口にメールを送信できる。ここで、端末は、携帯電話機などの携帯端末、或は、パソコンなどのコンピュータである。
【００５４】
添付装置は、応募先メールアドレスを、購買証明情報として、各々の商品に、各々の商品ごとに異なるものを一つ添付する装置である。
【００５５】
図１３に、購買証明情報として商品に添付された応募先メールアドレスの例を示す。図１３の応募先メールアドレスでは、ＩＤ発行システムが生成したＩＤは、ＡＢＣ１２３である。添付は、商品のパーケージに、応募先メールアドレスを、直接印刷することで行われても良いし、又は、紙片に印刷してから商品のパッケージに貼り付けたり或は入れたりすることで行われても良い。
【００５６】
ＤＢシステムは、ＩＤ発行システムで生成されたＩＤ、キャンペーン応募をした利用者の個人情報などの情報を保管するコンピュータシステムである。
【００５７】
実施例２において、インターネットによるキャンペーン応募に係わる手続きの例を、図１４のフローチャートに従って、以下に説明する。
ＳＴＥＰ１；
ＩＤ発行システムは、非重複かつランダムな文字列をＩＤとして複数生成する。
ＳＴＥＰ２；
メールシステムは、ＩＤごとに、キャンペーン応募の受付窓口を設ける。この際、メールシステムは、受付窓口を識別する応募先メールアドレスに、この受付窓口に対応するＩＤを所定の規則で含ませる。
ＳＴＥＰ３；
添付装置は、応募先メールアドレスを、購買証明情報として、各々の商品に、各々の商品ごとに異なるものを一つ添付する。
ＳＴＥＰ４；
利用者は、商品を購入して、商品に添付されている応募メールアドレスを取得する。
ＳＴＥＰ５；
利用者は、端末にて、応募先メールアドレスで識別される受付窓口にメールを送信する。
【００５８】
図１５に、端末にてメールを送信するための画面の例を示す。この画面では、宛先に応募先メールアドレスを入力して、送信ボタンを押すと、この応募先メールアドレスで識別される受付窓口にメールが送信される。
ＳＴＥＰ６；
メールシステムは、受付窓口で、応募を受け付ける（ＩＤと個人情報とのＤＢシステム
への登録）。
【００５９】
尚、電子メールでは、電子メールの送信者のメールアドレスが自動的に取得されるので、ＤＢシステムに登録する個人情報には、少なくとも、送信者のメールアドレスが含まれる。
【００６０】
実施例２では、利用者が、端末から応募先メールアドレスで識別される受付窓口にメール送信したことが、必然的に、利用者にとっては、購買証明情報を端末にて入力して受付窓口に送信したことを意味し、他方、提供者にとっては、この購買証明情報の正当性を確認したことを意味する。
【図面の簡単な説明】
【００６１】
【図１】Ｗｅｂによるクローズドキャンペーンシステムの構成例を示す図。
【図２】商品に添付されたＩＤと応募先ＵＲＬの例を示す図。
【図３】キャンペーン応募に係わる手続きの従来例を示すフローチャート。
【図４】端末にてＵＲＬを入力する画面の例を示す図。
【図５】端末にてＩＤと個人情報を入力する画面の例を示す図。
【図６】入力して送信したＩＤと個人情報を確認させる画面の例を示す図。
【図７】購買証明情報として商品に添付された応募先ＵＲＬの例を示す図。
【図８】実施例１におけるキャンペーン応募に係わる手続きの例を示すフローチャート。
【図９】端末にてＵＲＬを入力する画面の例を示す図。
【図１０】端末にて個人情報を入力する画面の例を示す図。
【図１１】入力して送信した個人情報を確認させる画面の例を示す図。
【図１２】メールによるクローズドキャンペーンシステムの構成例を示す図。
【図１３】購買証明情報として商品に添付された応募先メールアドレスの例を示す図。
【図１４】実施例２におけるキャンペーン応募に係わる手続きの例を示すフローチャート。
【図１５】端末にてメールを送信するための画面の例を示す図。
【図１】
2005215957.tif 000002
【図２】
2005215957.tif 000003
【図３】
2005215957.tif 000004
【図４】
2005215957.tif 000005
【図５】
2005215957.tif 000006
【図６】
2005215957.tif 000007
【図７】
2005215957.tif 000008
【図８】
2005215957.tif 000009
【図９】
2005215957.tif 000010
【図１０】
2005215957.tif 000011
【図１１】
2005215957.tif 000012
【図１２】
2005215957.tif 000013
【図１３】
2005215957.tif 000014
【図１４】
2005215957.tif 000015
【図１５】
2005215957.tif 000016